(57)【要約】【目的】短い累進帯長を有し、レンズ全面における非点収差の少ない累進屈折力眼鏡レンズを提供すること。【構成】レンズ１２の上部に遠用度数領域１４、同下部に近用度数領域１６、そして両領域の間に累進度数領域１８を備えるとともに、累進屈折面をレンズ前面又は後面に備えている累進屈折力眼鏡レンズ。そして、累進屈折面を、直交座標系においてＺ＝Ｆ（Ｘ，Ｙ）として与えられるＺを連続的に結び付けた下記一般式で表される面としたとき、ｎ＝９〜２３の範囲から選択されるｎ次のべき乗関数で構成するとともに、累進度数領域の長さを１０ｍｍ未満としたものである。2004341410.tif 000006【選択図】    図１
2004341410.tif 000002
【特許請求の範囲】
【請求項１】
レンズの上部に遠用度数領域、同下部に近用度数領域、そして両領域の間に累進度数領域を設けた累進屈折面をレンズ前面又は後面に備えた累進屈折力眼鏡レンズにおいて、前記累進屈折面を、直交座標系においてＺ＝Ｆ（Ｘ，Ｙ）として与えられるＺを連続的に結び付けた下記一般式で表される面としたとき、ｎ＝９〜２３の範囲から選択されるｎ次のべき乗関数で構成されるとともに、累進度数領域の長さが１０ｍｍ未満とされていることを特徴とする累進屈折力眼鏡レンズ。
2004341410.tif 000005
【請求項２】
累進度数領域における累進帯幅を確保するために近用度数領域の幅を拡張することを特徴とする請求項１記載の累進屈折力眼鏡レンズ。
【請求項３】
前記近用度数の幅の拡張率が１．５〜３．０の範囲から選択されることを特徴とする請求項２記載の累進屈折力眼鏡レンズ。
【請求項４】
輻輳を考慮した近用度数領域の鼻側への内寄せにおいて、遠用度数領域に影響させることなく近用度数領域内で内寄せを行うことを特徴とする請求項１記載の累進屈折力眼鏡レンズ。
【請求項５】
前記累進屈折面が奇数次項を含むべき乗関数で構成されていることを特徴とする請求項１記載の累進屈折力眼鏡レンズ。
【請求項６】
前記累進屈折面のべき乗関数の次数（ｎ）が１３〜１７の範囲から選択されることを特徴とする請求項５記載の累進屈折力眼鏡レンズ。
【発明の詳細な説明】
【０００１】
【技術分野】
本発明は、レンズの上部に遠用度数領域、同下部に近用度数領域、そして両領域の間に累進度数領域を設けた累進屈折力眼鏡レンズに関する。
【０００２】
【背景技術】
累進屈折力眼鏡レンズは必要な光学特性を得るためにレンズ面の曲率を変えて累進屈折面を創成している。
【０００３】
この累進屈折面は遠用度数領域（遠用領域）、累進度数領域（累進領域）、近用度数領域（近用領域）などを光学的に滑らかな面でもって接続する必要がある。このため、少なくとも２次微分可能な関数により表現されることが求められる。
【０００４】
本発明者らは、先にこのような関数として高次の多項式を使用した累進屈折面を有する累進屈折力眼鏡レンズを提案した（特許文献１）。
【０００５】
この累進屈折力眼鏡レンズは、累進屈折面を一つの関数としてとらえることにより、面形状を滑らかにすると共に非点収差を減少し、像の揺れを著しく少なくすることができた。
【０００６】
一方、累進屈折力眼鏡レンズと云えば、垂直方向と水平方向の曲率の差に相当する非点収差が必ず存在する。ドイツの  Ｇ．Ｍｉｎｋｗｉｔｚは彼の報文（Ｏｐｔｉｃａ  Ａｃｔａ，１０，１９６３）中で、“累進屈折力眼鏡レンズにおいて最も顕著な収差は、非点収差である。“、また、”非点収差のない累進屈折力眼鏡レンズを作ることは不可能である。“とも云っている。この非点収差は、像ボケの原因となるがために、これを減少することが累進屈折力眼鏡レンズの設計・製作の上で不可欠となる。
【０００７】
眼鏡市場のトレンドとして、天地幅の狭い眼鏡フレームが主流となっている。また、老眼初期（特に４０代）の視線移動の頻繁な、そして活動的な眼鏡装用者に対して、従来の累進領域の長さ（累進帯長）の長い累進屈折力眼鏡レンズでは、例えば、現在主流となっている累進帯長１４ｍｍの場合、視線をアイポイントから近用領域まで角度にして３０°以上移動せねばならず（図７参照）、非常に煩わしく感じられる。すなわち、眼球Ｅの回旋点ＱからレンズＬの後側面中心Ｃまでの距離（図３参照）は通常２５ｍｍであり（「視覚の科学第１７巻第３号」日本眼光学学会、１９９６年１０月２５日、１１２ｐ参照）、ｔａｎ−１（１４／２５）≒３０°となる。
【０００８】
このような問題を解決するためには、レンズの累進帯長を短くすればよいのであるが、これを行うと累進領域の幅（累進帯幅）が非常に狭くなる。
【０００９】
この累進屈折面における現象を説明したのが前述のＧ．Ｍｉｎｋｗｉｔｚである。
それは、累進面においてＹ軸方向に累進領域を設けた場合、それと同一平面内で直行するＸ軸方向に累進領域の屈折力勾配の２倍の非点収差が発生するというものである。
【００１０】
これを図例に基づいて次に説明する。
【００１１】
図１０は本発明者らの先願（特許文献１）による累進帯長１２ｍｍの場合の非点収差等高線図であるが、同じく図９は同一条件・ファクターで累進帯長のみを８ｍｍとした場合の非点収差等高線図である。両図を比較すると、累進帯長が１２ｍｍから８ｍｍに短くしたことにより累進帯の幅が狭くなっていることが分かる。また、図９は、非点収差−１．５０Ｄの領域が増加し、更に−２．０Ｄのラインも新たに顔を出し、累進屈折面の非点収差が増加・悪化していることが分かる。
【００１２】
すなわち、累進帯長を短くするということは、累進領域におけるＹ軸方向の屈折力勾配を増加させることに他ならない。Ｘ軸方向の非点収差はその２倍の割合で増加し、累進領域の幅は非常に狭くなる。図例の場合は、累進帯長１２ｍｍから８ｍｍと２／３に短縮されたため、約１．５倍に増加し、累進帯の幅も約２／３になっている。
【００１３】
また、このことから非点収差を減少する方法としては、加入度数を小さくするか、屈折力勾配を小さくする（＝累進帯長を長くする）ことが考えられる。しかしながら、このことは、累進帯長の短い累進屈折力眼鏡レンズを目的とする本出願の主旨とは全く相容れない。
【００１４】
さらに、本発明の累進屈折面の創成は１つの関数で行うがために、累進帯長を短くすることは累進屈折面のＸ軸方向のみならず、累進屈折面全体の非点収差をも増加させることにつながる。
【００１５】
本来、累進屈折面を１つの関数でもって創成することは、累進屈折面の形状が滑らかになり、非点収差が減少するはずであるが、累進帯長を短くするがために、逆に非点収差を増加させるに至った。
【００１６】
なお、本発明の発明性に影響を与えるものではないが、累進屈折レンズにかかる先行技術文献として下記の特許文献２〜４等がある。
【００１７】
【特許文献１】
特開２００２−１２２８２５公報
【特許文献２】
特公昭５７−５３５７０号公報
【特許文献３】
特公平６−８０４４７号公報
【特許文献４】
特公平６−８０４４８号公報
【００１８】
【発明の開示】
本発明は上記にかんがみて、短い累進帯長を有し、レンズ全面における非点収差の少ない累進屈折力眼鏡レンズを提供することを目的とする。
本発明者らは、上記にかんがみて鋭意開発に努力する過程で十分に優れた累進屈折面を得るために、累進帯幅の狭隘さに対して下部の近用領域の幅を増加させるとともに、近用領域の非点収差に対しては、眼の輻輳を考慮して行う内寄せの手法を改善し、そして遠用領域の非点収差に対しては、べき乗関数の次数を適切に対応させることを見出して、下記の構成の累進屈折力眼鏡レンズに到達した。
【００１９】
すなわち、レンズの上部に遠用度数領域、同下部に近用度数領域、そして両領域の間に累進度数領域を設けた累進屈折面を、レンズ前面又は後面に備えた累進屈折力眼鏡レンズにおいて、累進屈折面を、直交座標系においてＺ＝Ｆ（Ｘ，Ｙ）として与えられるＺを連続的に結び付けた下記一般式で表される面としたとき、ｎ＝９〜２３の範囲から選択されるｎ次のべき乗関数で構成するとともに、累進度数領域の長さを１０ｍｍ未満とすることを特徴とする。
【００２０】
2004341410.tif 000003
上記構成において、累進度数領域において、累進帯長を短くしたために狭くなった累進帯幅を広くするために近用度数領域の幅を拡張した。この近用度数領域の幅の拡張は、加入度及び原設計の近用度数領域の幅に影響を与え、近用度数の幅の拡張率、原設計における近用度数領域の幅、及び加入度（遠用度数−近用度数）の関係は、
拡張率＝（原設計に対する近用度数領域の幅の比）×加入度
で表されることを見出した。この拡張率は、本発明者らは、数多くの試作例から１．５〜３．０の範囲から選択することを望ましいことを知見した。１．５未満ではほとんど効果（累進帯幅の拡張）に寄与せず、また、３．０を超えると非点収差が遠用度数領域にまで及び望ましくない。
【００２１】
また、眼の輻輳を考慮して近用度数領域を鼻側に内寄せする際、遠用領域に影響することなく、近用度数領域内で内寄せを行い、中心線の左右で非対称とする新方式の内寄せとした。
【００２２】
本発明者らは、先願（特許文献１）において、近用領域側において内寄せのため回転させた下側中心軸Ｕに合わせて、図２５（ａ）に示す如く、左右の非点収差等高線を回転させて、左右非対称に設計して累進屈折面を創成していた。このため、中心付近の非点収差等高線も回転移動するため、不必要な非点収差が発生し、最適な設計を得るのに再度計算が必要となり面倒である。
【００２３】
他方、本発明においては、累進設計面を一つのべき乗関数で創成する設計において、図２５（ｂ）のように近用領域側において内寄せのため回転させた下側中心軸Ｕに合わせて非点収差等高線を水平移動させ、左右非対称に設計して累進屈折面を創成した。このため、中心側の非点収差等高線はほとんど移動しないため、不必要な非点収差が発生せず、最適な設計を得るのが容易となる。
【００２４】
上記の非対称化は、累進屈折面を奇数次項を含むべき乗関数で構成することにより容易に得られる。通常、このべき乗関数の次数はｎ＝１３〜１７の範囲から選択することが望ましい。
【００２５】
【発明を実施するための最良の形態】
以下、本発明に係る累進屈折力眼鏡レンズの実施形態
（構成）について説明する。
【００２６】
本実施形態の累進屈折力眼鏡レンズＬは、累進屈折面全体を１つの高次のべき乗関数（ｎ次関数）で構成したものである。すなわち、累進屈折面を、直交座標系においてＺ＝Ｆ（Ｘ，Ｙ）として与えられるＺを連続的に結び付けた下記一般式で表される面としたとき、ｎ＝９〜２３（望ましくは１３から１７）の範囲から選択されるｎ次べき乗関数で構成するとともに、
2004341410.tif 000004
累進屈折面の特徴である累進度数領域の長さを１０ｍｍ未満としたものである。
【００２７】
累進屈折面の形状の決定は、被装用眼の回旋点を通過する光線についての非点収差の評価及び格子像に基づいて行う。
【００２８】
以下、図例に基づいて、さらに具体的に説明する。
【００２９】
本発明に係わる累進屈折力眼鏡レンズの累進屈折面１２は、図１に示すように、レンズの上部に遠用度数領域１４、同下部に近用度数領域１６、そして両領域の間に累進度数領域１８を設けたことを前提とする。
【００３０】
通常、図２（ａ）に示す如く、累進屈折面はレンズＬの前側屈折面（レンズ前面）として構成し、後側屈折面（レンズ後面）は球面２０又はトロイダル面として構成する。レンズＬの球面屈折力、乱視屈折力及び乱視軸、角度は後側屈折面により決定される。逆に図２（ｂ）に示すが如く、乱視屈折面を含む累進屈折面を後側屈折面（レンズ後面）とし、球面２０を前側屈折面（レンズ前面）としてもよい。
【００３１】
累進屈折面を１つの関数として表現することの利点は、面形状を滑らかにし、非点収差を少なくして像ボケを押さえることを可能にすることである。
【００３２】
しかし、べき乗関数の次数が低いと累進屈折面の形状は低次の多面体のようになり、非点収差が多く発生し易くなる。一方、次数が高くなると一見滑らかそうであるが、高次の多面体として膨張し、累進屈折力眼鏡レンズとして必要な形状を保ち得なくなる。これらの関係を、累進屈折面の中心線に沿った球面屈折力の変化として示したものが図２０である。１３〜１７の次数の場合は、安定した累進屈折力眼鏡レンズとして必要な球面度数の変化をしている。
【００３３】
本実施形態では、遠近常用型（遠くから近くまで連続的に見える）として設計しているが、近用度数領域が比較的広いため、遠用度数と近用度数の設定の仕方により、▲１▼遠近常用型、▲２▼室内用累進屈折力眼鏡レンズ（中近）、▲３▼外部専用累進屈折力眼鏡レンズ（遠近）そして、▲４▼近用専用累進屈折力眼鏡レンズ（近近）としての使用も可能である。
【００３４】
また、累進帯長が８ｍｍ（図７（２））と短いため、図２４のように天地幅の短い眼鏡フレームでも、遠用領域と近用領域の基準参照円を含んだ形で枠入れすることができて、ファッショナブルなおしゃれの演出も可能となる。
【００３５】
【実施例】
以下、本発明を実施例・比較例に基づいてより詳細に説明する。
【００３６】
各実施例（累進屈折力眼鏡レンズ）の評価に当たって、像ボケおよび像のゆがみの２項目を対象とし、それらの評価は、それぞれ下記［１］非点収差の分布、［２］格子像により行なった。
【００３７】
［１］非点収差の分布
図３のような累進屈折力眼鏡レンズＬを装用した眼球Ｅを模式的に考え、被装用眼Ｅの回旋点Ｑを通過する光線について非点収差を計算または測定する。
【００３８】
すなわち、図４のように屈折波面２２の入射断面２４と、それに垂直な方向の最終面２６の射出点２８からの各像距離Ｆｓ、Ｆφの逆数の差として非点収差量を得る。
【００３９】
非点収差が少ない程、像ボケは少ない。尚、最近はレンズの非点収差量を簡便に測定出来る装置も市販されているので、それを利用してもよい。
【００４０】
非点収差＝（１／Ｆｓ−１／Ｆφ）×１０００
［２］格子像
図５のような格子３０を累進屈折力眼鏡レンズＬの前方に置き、明視距離Ａから格子３０を見ると、累進屈折力眼鏡レンズＬの場合、歪んだ格子３１が見られる。この歪んだ格子３１の歪み具合から評価する。
【００４１】
ここで、「明視距離」とは、「目が疲労せずに明視できる距離。正常眼では約２５センチメートル。」（「広辞苑第三版」岩波書店刊）のことである。
【００４２】
＜実施例１＞
図８は本実施例による右目用の累進屈折力眼鏡レンズの非点収差等高線図で
ある。本実施例の条件設定およびファクターは、下記のものとした。
【００４３】
条件設定およびファクター
累進屈折面                  前側
中心厚                      ２．５ｍｍ
球面屈折面                  後側
遠用部球面屈折力            ０．０ジオプター
べき乗関数の次数            １３次
レンズの屈折率              １．５００２（ｎｅ）
ベースカーブ                ２．０ジオプター
近用加入度数                １．０ジオプター
累進帯長                    ８ｍｍ
内寄せ                      新方式
近用領域幅                  拡張率  １．６７
本実施例を従来例１（図９・、図１０）及び比較例（図１１）を比較すると、従来例１に対して累進帯幅は６０％増加し、非点収差も０．５ジオプター改善されている。
【００４４】
また、格子像に関して有意差は見られなかった。
【００４５】
従来例２に対して累進帯幅は３０％増加し、非点収差も０．２５ジオプター改善されている。格子像に関して有意差は見られなかった。内寄せを従来通りとした比較例１に対しても、累進帯幅は変わらないものの、非点収差は若干の有意差が見られた。格子像に関して、有意差は見られなかった
したがって、本実施例は累進帯長８ｍｍにもかかわらず十分な累進帯幅を有し、非点収差も改善されて像ボケも少なく、格子像も従来例と比較して有意差が見られなかったためにゆがみも少ない累進屈折力眼鏡レンズといえる。
【００４６】
さらに、累進帯長を１０ｍｍ未満にすると、図９と図１０の比較から分かるように累進領域における累進帯幅が異常に狭くなる。これは前述したＧ．Ｍｉｎｋｗｉｔｚが見出し、その報文中で示した通り、図６においてＹ軸方向の屈折力勾配が増加（本実施例では累進帯長が短くなることに相当）すると、それに直交するＸ軸方向の非点収差（乱視屈折力）はその２倍の割合で増加する。
【００４７】
本実施例では、累進帯幅の狭さを近用領域の幅を強制的に拡張することにより解消（一部では従来例より広くなっている）し、それによって悪化した近用領域及び遠用領域の非点収差を新方式の内寄せ及びべき乗関数の次数の見直しにより改善した。
【００４８】
＜実施例２＞
図１２は、本実施例による右目用の累進屈折力眼鏡レンズの非点収差等高線図である。
【００４９】
本実施例の条件設定およびファクターを下記のものとした。
【００５０】
条件設定およびファクター
累進屈折面                  前側
中心厚                      ２．５ｍｍ
球面屈折面                  後側
遠用部球面屈折力            ０．０ジオプター
べき乗関数の次数            １１次
レンズの屈折率              １．５００２（ｎｅ）
ベースカーブ                ２．０ジオプター
近用加入度数                ２．０ジオプター
累進帯長                    ８ｍｍ
内寄せ                      新方式
近用領域幅                  拡張率：２．５
本実施例は加入度２．０ジオプターと比較的老眼の進んだ装用者に供する累進屈折力眼鏡レンズである。
【００５１】
従来例（図１３・１４）及び比較例（図１５）と比較すると、従来例３に対して累進帯幅は１２％増加し、非点収差も０．５ジオプター改善されている。また、格子像に関して有意差は見られなかった。従来例４に対して累進帯幅は１０％減少し、非点収差は０．２５ジオプター改善されている。格子像に関して有意差は見られなかった。
【００５２】
内寄せを従来通りとした比較例２に対しても、累進帯幅は変わらないものの、非点収差は若干の有意差が見られた。格子像に関して、有意差は見られなかった。ここでも新方式の内寄せの効果が認められた。
【００５３】
従って、本実施例は累進帯長８ｍｍにも係わらず十分な累進帯幅を有し、非点収差も改善されて像ボケも少なく、格子像も従来例と比較して有意差が見られなかったためにゆがみも少ない累進屈折力眼鏡レンズといえる。
【００５４】
＜実施例３＞
図１６は本実施例による右目用の累進屈折力眼鏡レンズの非点収差等高線図を示している。本実施例の条件設定およびファクターは下記のものとした。
【００５５】
条件設定およびファクター
累進屈折面                  前側
中心厚                      ２．５ｍｍ
球面屈折面                  後側
遠用部球面屈折力            ０．０ジオプター
べき乗関数の次数            １３次
レンズの屈折率              １．５００２（ｎｅ）
ベースカーブ                ３．５ジオプター
近用加入度数                ０．７５ジオプター
累進帯長                    ８ｍｍ
内寄せ                      新方式
近用領域幅                  拡張率：１．５
本実施例はベースカーブ３．５ジオプターと比較的深いカーブの累進屈折力眼鏡レンズに関するものである。
他のファクターは全く同一でべき乗関数の次数のみが異なる比較例（１７次：図１７図、９次：図１８及び２３次：図１９）と比較すると、次数の増加に伴って累進帯幅は減少し、非点収差も９次、２３次は論外であるが、１３次と１７次では次数の高い後者の方が良好である。深いカーブでは高次数の方が良いようである。また、格子像に関して有意差は見られなかった。
【００５６】
したがって、本実施例は累進帯長８ｍｍにも係わらず十分な累進帯幅を有し、非点収差も改善されて像ボケも少なく、格子像も従来例と比較して有意差が見られなかったためにゆがみも少ない累進屈折力眼鏡レンズといえる。
【００５７】
べき乗関数の次数による効果は、図２０に示す通りで、低次の多面体から高次の多面体へと変化して行く過程で、１３〜１７の次数が累進帯長１０ｍｍ未満の累進屈折力眼鏡レンズとして有効なことが見出された。
【００５８】
＜実施例４＞
図２１は本実施例による左目用の累進屈折力眼鏡レンズの非点収差等高線図を示している。本実施例の条件設定およびファクターは下記のものとした。
【００５９】
条件設定およびファクター
累進屈折面                  前側
中心厚                      ２．５ｍｍ
球面屈折面                  後側
遠用部球面屈折力            ０．０ジオプター
べき乗関数の次数            １３次
レンズの屈折率              １．５００２（ｎｅ）
ベースカーブ                ５．０ジオプター
近用加入度数                ２．０ジオプター
累進帯長                    ８ｍｍ
内寄せ                      新方式
近用領域幅                  拡張率：２．５
本実施例は５．０ジオプターと更に深いベースカーブの累進屈折力眼鏡レンズに関する。
【００６０】
従来例（累進帯長：１２ｍｍ、図２２）と比較すると、累進帯幅は１０％減少し、非点収差も０．２５ジオプター劣るが、累進帯長８ｍｍであることを考慮すると十分優れたものと認められる。また、格子像に関しても有意差は見られなかった。
【００６１】
したがって、本実施例は累進帯長８ｍｍにもかかかわらず十分な累進帯幅を有し、非点収差も改善されて像ボケも少なく、格子像も従来例と比較して有意差が見られなかったためにゆがみも少ない累進屈折力眼鏡レンズといえる。
【００６２】
＜実施例５＞
図２３は本実施例による右目用の累進屈折力眼鏡レンズの非点収差等高線図を示している。本実施例の条件設定およびファクターは下記の如くである。
条件設定およびファクター
累進屈折面                  前側
中心厚                      ２．５ｍｍ
球面屈折面                  後側
遠用部球面屈折力            ０．０ジオプター
べき乗関数の次数            １３次
レンズの屈折率              １．５００２（ｎｅ）
ベースカーブ                ０．５ジオプター
近用加入度数                １．５ジオプター
累進帯長                    ８ｍｍ
内寄せ                      新方式
近用領域幅                  拡張率：３．０
本実施例はベースカーブ０．５ジオプターと比較的浅いカーブの累進屈折力眼鏡レンズに関するものである。
【００６３】
他の実施例と同様に十分な累進帯幅と良好な非点収差を有し、本発明の主旨にも十分かなうものであるといえる。
【００６４】
また、本実施例では、図２４の如く累進帯長が８ｍｍと非常に短い
ので、天地幅が、例えば、２４ｍｍと短い眼鏡フレームにも十分対応できる。
【００６５】
また、実施例１〜５は屈折率１．５００２（ｎｅ）のＣＲ−３９（ＰＰＧインダストリー社登録商標）を素材とする累進屈折力眼鏡レンズについて述べてきたが、本発明は決して１種類の屈折率の素材に限定されるものではなく、現在上市されている全ての素材に対して適応可能である。
【図面の簡単な説明】
【図１】累進屈折面の分割図
【図２】累進屈折面の構成説明図
【図３】非点収差による評価方法の説明図（１）
【図４】非点収差による評価方法の説明図（２）
【図５】格子像による評価方法の説明図
【図６】累進屈折面の軸方向を示す説明図
【図７】視線移動の差異の説明図
【図８】実施例１の非点収差等高線図及び格子像
【図９】従来例１における累進帯長８ｍｍ（加入度  １．０Ｄ）の非点収差等高線図及び格子像
【図１０】従来例２における累進帯長１２ｍｍ（加入度  １．０Ｄ）の非点収差等高線図及び格子像
【図１１】比較例１の従来方式による累進帯長８ｍｍ（加入度  １．０Ｄ）の非点収差等高線図及び格子像
【図１２】実施例２における非点収差等高線図及び格子像
【図１３】従来例３における累進帯長８ｍｍ（加入度  ２．０Ｄ）の非点収差等高線図及び格子像
【図１４】従来例４における累進帯長１２ｍｍ（加入度  ２．０Ｄ）の非点収差等高線図及び格子像
【図１５】比較例２の従来方式による累進帯長８ｍｍ（加入度  １．０Ｄ）の非点収差等高線図及び格子像
【図１６】実施例３における非点収差等高線図及び格子像
【図１７】比較例３における非点収差等高線図及び格子像
【図１８】比較例４における非点収差等高線図及び格子像
【図１９】比較例５における非点収差等高線図及び格子像
【図２０】べき乗数による球面度数変化を示す説明図
【図２１】実施例４における非点収差等高線図及び格子像
【図２２】従来例５における非点収差等高線図及び格子像
【図２３】実施例５における非点収差等高線図及び格子像
【図２４】本発明の累進屈折力眼鏡レンズによる枠入れの例
【図２５】従来例及び本発明の内寄せの各方式を示す説明図
【符号の説明】
１２…累進屈折面
１４…遠用度数領域
１６…近用度数領域
１８…累進度数領域
Ｌ  …（累進屈折力）眼鏡レンズ
Ｅ  …眼球
【図１】
2004341410.tif 000007
【図２】
2004341410.tif 000008
【図３】
2004341410.tif 000009
【図４】
2004341410.tif 000010
【図５】
2004341410.tif 000011
【図６】
2004341410.tif 000012
【図７】
2004341410.tif 000013
【図８】
2004341410.tif 000014
【図９】
2004341410.tif 000015
【図１０】
2004341410.tif 000016
【図１１】
2004341410.tif 000017
【図１２】
2004341410.tif 000018
【図１３】
2004341410.tif 000019
【図１４】
2004341410.tif 000020
【図１５】
2004341410.tif 000021
【図１６】
2004341410.tif 000022
【図１７】
2004341410.tif 000023
【図１８】
2004341410.tif 000024
【図１９】
2004341410.tif 000025
【図２０】
2004341410.tif 000026
【図２１】
2004341410.tif 000027
【図２２】
2004341410.tif 000028
【図２３】
2004341410.tif 000029
【図２４】
2004341410.tif 000030
【図２５】
2004341410.tif 000031